(57)【要約】【課題】ルーフパネルに配索するワイヤハーネスを天井材に強固に接着して、ワイヤハーネスが天井材から外れるのを防止する。【解決手段】自動車のルーフパネル内面に取り付けられる天井材１１にワイヤハーネスＷ／Ｈを予め接着し、該ワイヤハーネスＷ／Ｈをルーフパネル内面と天井材１１の間に挟持固定しているワイヤハーネスの固定構造１０において、ワイヤハーネスＷ／Ｈの一部は２つ折りしたビニルテープＴ１で挟持され、該ビニルテープＴ１の内面の接着層Ｔ１ａで接着されていると共に、ワイヤハーネスＷ／Ｈの配索方向と直交方向となるビニルテープＴ１および該ビニルテープＴ１の両側から延在するワイヤハーネスＷ／Ｈは天井材１１に両面接着テープＴ２、Ｔ３で固定されている。【選択図】  図１
2004320956.tif 000002
【特許請求の範囲】
【請求項１】
自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
上記ワイヤハーネスの一部は２つ折りしたビニルテープで挟持され、該ビニルテープの内面の接着層で接着されていると共に、
上記ワイヤハーネスの配索方向と直交方向となるビニルテープおよび該ビニルテープの両側から延在するワイヤハーネスは天井材に両面接着テープで固定されているワイヤハーネスの固定構造。
【請求項２】
自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
十字形状の樹脂製の支持シートの縦板部に沿って、上記ワイヤハーネスが配索されていると共にテープ巻きされ、該支持シートの上記縦板部および該縦板部と直交する横板部が上記天井材に両面接着テープで固定されているワイヤハーネスの固定構造。
【請求項３】
自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
長さ方向の略中央位置に貫通穴を設けたシートの一端を該貫通穴に通して、上記シートが上記ワイヤハーネスに巻き付け固定されていると共に、
上記ワイヤハーネスの配索方向と直交方向となるシートおよび該シートの両側から延在するワイヤハーネスは天井材に両面接着テープで固定されているワイヤハーネスの固定構造。
【発明の詳細な説明】
【０００１】
【発明の属する技術分野】
本発明は、ワイヤハーネスの固定構造に関し、詳しくは、自動車のルーフパネルに取り付ける天井材にワイヤハーネスを固定するものである。
【０００２】
【従来の技術】
従来、自動車のルーフパネルに配索するワイヤハーネスは、ルーフパネルあるいはルーフパネルに取り付ける天井材に固定されており、特開平１１−９９８８６号において、図１１に示すワイヤハーネスの固定構造１が開示されている。
該ワイヤハーネスの固定構造１では、ルーフパネル２に取り付ける天井材３の裏面にワイヤハーネスＷ／Ｈをテープ４により接着している。
【０００３】
【特許文献１】
特開平１１−９９８８６号公報
【０００４】
【発明が解決しようとする課題】
しかしながら、上記ワイヤハーネスの固定構造１であると、テープ４による接着面積が小さく、特に、ワイヤハーネスＷ／Ｈと天井材３との接触面が接着されていないので、ワイヤハーネスＷ／Ｈが天井材３から外れやすくなる。よって、天井材３をルーフパネル２に取り付けるまでに、ワイヤハーネスＷ／Ｈが天井材３から外れると天井材３のルーフパネル２への取付作業の効率が悪くなる。また、天井材３をルーフパネル２に取り付けた後に、ワイヤハーネスＷ／Ｈが天井材３から外れると自動車の振動によりワイヤハーネスＷ／Ｈがばたついて、異音を生じさせるという問題がある。
【０００５】
本発明は上記問題に鑑みてなされたものであり、ルーフパネルに配索するワイヤハーネスを、ワイヤハーネスに取り付ける天井材に強固に接着して、ワイヤハーネスが天井材から外れるのを防止することを課題としている。
【０００６】
【課題を解決するための手段】
上記課題を解決するため、本発明は第１に、自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
上記ワイヤハーネスの一部は２つ折りしたビニルテープで挟持され、該ビニルテープの内面の接着層で接着されていると共に、
上記ワイヤハーネスの配索方向と直交方向となるビニルテープおよび該ビニルテープの両側から延在するワイヤハーネスは天井材に両面接着テープで固定されているワイヤハーネスの固定構造を提供している。
【０００７】
上記構成とすると、ワイヤハーネスを両面接着テープにより天井板に接着するだけでなく、ワイヤハーネスに対して直交方向に接着したビニルテープも両面接着テープにより天井板に接着しているので、接着面積が大きくなり、ワイヤハーネスの天井板に対する接着力を向上させることができる。これにより、天井板をルーフパネルに取り付けるまでに天井板からワイヤハーネスがはずれることがなく、天井板の取付作業を効率よく行うことができる。また、天井板をルーフパネルに取り付けた後もワイヤハーネスがはずれるのを防止することができるので、車体の振動による異音の発生を防止することができる。
【０００８】
また、本発明は第２に、自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
十字形状の樹脂製の支持シートの縦板部に沿って、上記ワイヤハーネスが配索されていると共にテープ巻きされ、該支持シートの上記縦板部および該縦板部と直交する横板部が上記天井材に両面接着テープで固定されているワイヤハーネスの固定構造を提供している。
【０００９】
さらに、本発明は第３に、自動車のルーフパネル内面に取り付けられる天井材にワイヤハーネスを予め接着し、該ワイヤハーネスを上記ルーフパネル内面と天井材の間に挟持固定しているワイヤハーネスの固定構造において、
長さ方向の略中央位置に貫通穴を設けたシートの一端を該貫通穴に通して、上記シートが上記ワイヤハーネスに巻き付け固定されていると共に、
上記ワイヤハーネスの配索方向と直交方向となるシートおよび該シートの両側から延在するワイヤハーネスは天井材に両面接着テープで固定されているワイヤハーネスの固定構造を提供している。
【００１０】
上記第２、第３に提供するワイヤハーネスの固定構造であっても、ワイヤハーネスを天井板に強固に固定して、ワイヤハーネスが天井板からはずれるのを防止することができる。
さらに、第３に提供するワイヤハーネスの固定構造では、シートをワイヤハーネスに巻き付けるだけでシートをワイヤハーネスに巻き付け固定することができるので、ビニルテープを用いる必要がないという利点を有する。
【００１１】
【発明の実施の形態】
以下、本発明の実施の形態を図面を参照して説明する。
図１乃至図３は、本発明の第１実施形態のワイヤハーネスの固定構造１０を示し、天井板１１は自動車のルーフパネル（図示せず）に取り付けるものである。
【００１２】
図２に示すように、ワイヤハーネスＷ／Ｈは、所要箇所を２つ折りしたビニルテープＴ１で挟持され、ビニルテープＴ１内面に予め塗布された接着剤よりなる接着層Ｔ１ａで接着されている。ビニルテープＴ１はワイヤハーネスＷ／Ｈに対して直交方向に、かつ、接着したビニルテープＴ１の下面側が水平となるよう接着している。ビニルテープＴ１には、予め折り曲げ位置に幅方向のラインＬ１を設けると共に、ビニルテープＴ１をワイヤハーネスＷ／Ｈに接着したときにワイヤハーネスＷ／Ｈの外周面上端に該当する位置に幅方向のラインＬ２を設けている。
なお、ワイヤハーネスＷ／Ｈを挟持するビニルテープは、内面に両面接着テープを貼付したものでもよい。
【００１３】
ワイヤハーネスＷ／Ｈを予め接着する樹脂製の天井材１０には、所要箇所にワイヤハーネスＷ／Ｈの配索方向に沿って部分的に両面接着テープＴ２を貼り付けていると共に、ワイヤハーネスＷ／Ｈに接着したビニルテープＴ１に対応する位置に両面接着テープＴ２に対して直交方向の両面接着テープＴ３を貼り付けている。
【００１４】
ワイヤハーネスＷ／Ｈの天井板１１への接着は、ワイヤハーネスＷ／Ｈを天井板１１に貼り付けた両面接着テープＴ２に接着すると共に、ワイヤハーネスＷ／Ｈに接着したビニルテープＴ１を天井板１１に貼り付けた両面接着テープＴ３に接着することにより行う。
【００１５】
上記構成とすると、ワイヤハーネスＷ／Ｈを両面接着テープＴ２により天井板１１に接着するだけでなく、ワイヤハーネスＷ／Ｈに対して直交方向に接着したビニルテープＴ１も両面接着テープＴ３により天井板１１に接着しているので、接着面積が大きくなり、ワイヤハーネスＷ／Ｈの天井板１１に対する接着力を向上させることができる。これにより、天井板１１をルーフパネルに取り付けるまでにワイヤハーネスＷ／Ｈがはずれることがなく、天井板１１の取付作業を効率よく行うことができる。また、天井板１１をルーフパネルに取り付けた後もワイヤハーネスＷ／Ｈがはずれるのを防止することができるので、車体の振動による異音の発生を防止することができる。
【００１６】
図４乃至図６は、本発明の第２実施形態を示し、第２実施形態のワイヤハーネスの固定構造１０’では、樹脂製の支持シート２０を用いている。該支持シート２０は、ワイヤハーネスＷ／Ｈを沿わせてテープ巻きする縦板部２０ａと、該縦板部２０ａと直交する横板部２０ｂとからなる十字形状である。縦板部２０ａの両端には、縦板部２０ａに巻き付けたビニルテープＴ４が抜け落ちるのを防止するため、幅方向の両側に突起２０ａ−１を突設している。
【００１７】
天井板１１には、第１実施形態と同様、ワイヤハーネスＷ／Ｈの配索方向に沿って部分的に両面接着テープＴ２を接着していると共に、所要箇所に該両面接着テープＴ２に対して直交方向の両面接着テープＴ３を貼り付けている。
【００１８】
次に、ワイヤハーネスＷ／Ｈの天井板１１への固定方法を説明する。
先ず、図５に示すように、支持シート２０の縦板部２０ａに沿って、ワイヤハーネスＷ／Ｈを配索し、縦板部２０ａの両端近傍にビニルテープＴ４を巻き付けて、ワイヤハーネスＷ／Ｈを支持シート２０にテープ巻き固定する。
次いで、図５に示すように、ワイヤハーネスＷ／Ｈをテープ巻き固定した支持シート２０の縦板部２０ａを天井板１１に貼り付けた両面接着テープＴ２に接着すると共に、支持シート２０の横板部２０ｂを天井板１１に貼り付けた両面接着テープＴ３に接着してワイヤハーネスＷ／Ｈを天井板１１に固定する。
【００１９】
上記構成とすると、ワイヤハーネスＷ／Ｈにテープ巻き固定した縦板部２０ａと横板部２０ｂとからなる支持シート２０を天井板１１に接着しているので、接着面積を大きくすることができ、上記第１実施形態と同様の効果を得ることができる。
なお、他の構成は第１実施形態と同様のため説明を省略する。
また、支持シート２０の縦板部２０ａは、ワイヤハーネスＷ／Ｈの配索方向に沿って連続的に設けてもよい。
【００２０】
図７乃至図１０は、本発明の第３実施形態を示し、ワイヤハーネスの固定構造１０”では、図７に示すシート３０を用いている。
【００２１】
樹脂からなる長方形のシート３０は、その長さ方向の略中央位置に横長の貫通穴３１を設けると共に、該貫通穴３１に対してシート３０の長さ方向の一側に上下一対の切欠部３２を設けている。該切欠部３２を設けた箇所のシート３０の幅を貫通穴３１の幅と略同じにしている。
【００２２】
天井板１１には、第１実施形態と同様、ワイヤハーネスＷ／Ｈの配索方向に沿って部分的に両面接着テープＴ２を接着していると共に、所要箇所に該両面接着テープＴ２に対して直交方向の両面接着テープＴ３を貼り付けている。
【００２３】
次に、ワイヤハーネスＷ／Ｈの天井板１１への固定方法を説明する。
先ず、図８（Ａ）に示すように、シート３０に設けた貫通穴３１の上を通るようにワイヤハーネスＷ／Ｈをシート３０に対して直交方向に載置する。
次いで、図８（Ｂ）に示すように、シート３０の一端側をワイヤハーネスＷ／Ｈに巻き付けるようにして貫通穴３１に通し、図８（Ｃ）に示すように、矢印方向にシート３０を引っ張ってシート３０をワイヤハーネスＷ／Ｈに巻き付け、切欠部３２を貫通穴３１の縁部に引っ掛けて固定している。
最後に、図９に示すように、ワイヤハーネスＷ／Ｈに巻き付けたシート３０を天井板１１に貼り付けた両面接着テープＴ３に接着すると共に、ワイヤハーネスＷ／Ｈを天井板１１に貼り付けた両面接着テープＴ２に接着してワイヤハーネスＷ／Ｈを天井板１１に固定する。
【００２４】
上記構成とすると、ワイヤハーネスＷ／Ｈと該ワイヤハーネスＷ／Ｈに巻き付けたシート３０を天井板１１に接着しているので、接着面積を大きくすることができ、上記第１実施形態と同様の効果を得ることができる。
なお、他の構成は第１実施形態と同様のため説明を省略する。
【００２５】
【発明の効果】
以上の説明より明らかなように、本発明によれば、ワイヤハーネスを両面接着テープにより天井板に接着するだけでなく、ワイヤハーネスに対して直交方向に接着したビニルテープ、支持シートもしくは巻き付けたシートも両面接着テープにより天井板に接着しているので、接着面積が大きくなり、ワイヤハーネスの天井板に対する接着力を向上させることができる。これにより、天井板をルーフパネルに取り付けるまでに天井板からワイヤハーネスがはずれることがなく、天井板の取付作業を効率よく行うことができる。また、天井板をルーフパネルに取り付けた後もワイヤハーネスがはずれるのを防止することができるので、車体の振動による異音の発生を防止することができる。
【図面の簡単な説明】
【図１】本発明の第１実施形態のワイヤハーネスの固定構造を示す図面である。
【図２】ワイヤハーネスの天井板への固定方法を示す図面である。
【図３】ワイヤハーネスを天井板に固定した状態を示す図面である。
【図４】支持シートの斜視である。
【図５】ワイヤハーネスの天井板への固定方法を示す図面である。
【図６】ワイヤハーネスを天井板に固定した状態を示す図面である。
【図７】シートの平面図である。
【図８】（Ａ）〜（Ｃ）はシートのワイヤハーネスへの巻き付け方法を示す図面である。
【図９】ワイヤハーネスの天井板への固定方法を示す図面である。
【図１０】ワイヤハーネスを天井板に固定した状態を示す図面である。
【図１１】従来例を示す図面である。
【符号の説明】
１０、１０’、１０”  ワイヤハーネスの固定構造
１１  天井板
２０  支持シート
２０ａ  縦板部
２０ｂ  横板部
３０  シート
３１  貫通穴
３２  切欠部
Ｔ１、Ｔ４  ビニルテープ
Ｔ２、Ｔ３  両面接着テープ
Ｗ／Ｈ  ワイヤハーネス
【図１】
2004320956.tif 000003
【図２】
2004320956.tif 000004
【図３】
2004320956.tif 000005
【図４】
2004320956.tif 000006
【図５】
2004320956.tif 000007
【図６】
2004320956.tif 000008
【図７】
2004320956.tif 000009
【図８】
2004320956.tif 000010
【図９】
2004320956.tif 000011
【図１０】
2004320956.tif 000012
【図１１】
2004320956.tif 000013